(57)【要約】【課題】形状の制約を少なくできて、人体の様々な部位の体感温度を上昇させたり、温度刺激を与えたりすることができ、しかも容易に温度の調整を行うことができる健康補助器具を得る。【解決手段】四角形の扁平袋状に形成され、一方の面側にメッシュ状の布体１１を有し、また、内部の２面のうち布体１１側の面にセラミック袋５０を収容可能な収容部１２ａ〜１２ｃを有すると共に、収容部１２ａ〜１２ｃ以外の部分に発熱体６０を収容可能な袋体１０と、この袋体１０の各辺の略中央部に布片１４によって可動可能に固定された略Ｄ字形状のＤ環１３と、両端が各Ｄ環１３と接続可能なゴムベルト１５と、上記セラミック袋５０と、上記発熱体６０とを備える。【選択図】図１
2010057872.tif 000002
【特許請求の範囲】
【請求項１】
扁平袋状に形成され、一方の面側にメッシュ状の布体を有し、また、内部の前記メッシュ状布体側の面に複数の第１の収容部を有すると共に前記複数の第１の収容部以外の部分に１つの第２の収容部を有する袋体と、
前記複数の第１の収容部のそれぞれに収容される遠赤外線発生部材と、
前記第２の収容部に収容される発熱体と、
前記袋体の各辺に設けられる接続部材と、
両方の端で前記接続部材と接続可能な伸縮自在のベルトと、
を備えた健康補助器具。
【請求項２】
前記ベルトとして、長さの異なる複数のものを備えた請求項１に記載の健康補助器具。
【請求項３】
扁平袋状に形成され、一方の面がメッシュ素材からなり、他方の面が綿素材からなる袋体と、
前記袋体の内部に設けられた複数の収容部と、
前記複数の収容部のそれぞれに収容される発熱体と、
前記複数の収容部と前記袋体のメッシュ面との間に設けられ、可撓性を有するシート材と、
前記シート材に設けられる遠赤外線発生部材と、
前記複数の収容部と前記袋体の前記綿素材面との間に設けられるクッション材と、
前記袋体の前記メッシュ面側と前記綿素材面側の夫々の各辺に設けられ、同様の構造を成す他の健康補助器具と接続するための接続部材と、
を備えた健康補助器具。
【請求項４】
前記シート材として、様々な大きさのものを備えた請求項３に記載の健康補助器具。
【請求項５】
三角形の扁平袋状に形成され、一方の面がメッシュ素材からなり、他方の面が綿素材からなる袋体と、
前記袋体の内部に設けられた収容部と、
前記収容部に収容される複数の発熱体と、
前記収容部と前記袋体のメッシュ面側との間に配置され、可撓性を有する板状を成し、その中央部には開口部を有するシート材と、
前記シート材の少なくとも一方の面に設けられる第１の遠赤外線発生部材と、
前記シート材の前記開口部に嵌合するケースと、
前記ケースに収容される第２の遠赤外線発生部材と、
前記収容部と前記袋体の前記綿素材面側との間に設けられるクッション材と、
前記袋体の各頂点部分に設けられる接続部材と、
両方の端で前記接続部材と接続可能な伸縮自在のベルトと、
を備えた健康補助器具。
【請求項６】
前記ベルトとして、長さの異なる複数のものを備えた請求項５に記載の健康補助器具。
【請求項７】
前記シート材として、様々な大きさのものを備えた請求項５又は請求項６に記載の健康補助器具。
【請求項８】
前記ケースとして、前記第２の遠赤外線発生部材の量の異なる複数のものを備えた請求項５乃至請求項７のいずれかに記載の健康補助器具。
【請求項９】
長尺帯状に形成された布体と、
前記布体の一方の面の略中央部分に設けられるメッシュ素材からなる収容部と、
前記収容部に収容な大きさの板状に形成されると共に部分的に複数の貫通孔が形成されたフェルト板と、
前記フェルト板と共に前記収容部に収容される赤外線発生部材と、
前記フェルト板と共に前記収容部に収容される発熱体と、
を備えた健康補助器具。
【発明の詳細な説明】
【技術分野】
【０００１】  本発明は、肩、腰、首などの人体各部位の体感温度を上昇させたり、温熱治療として温度刺激を与えたりする健康補助器具に関する。
【背景技術】
【０００２】  従来、上着又はコート等のオーバウェア又はオーバウェアの下に装着可能なベスト等の衣服の本体の一部に各種発熱体を装着して使用する暖房衣服（例えば、特許文献１参照）がある。特許文献１で開示された暖房衣服は、発熱体を収容する発熱体収容ポケット及びその周辺部材を遠赤外線発生シート又は遠赤外線発生繊維で形成したシートによって構成し、発熱体収容ポケットに装備した発熱体からの熱線を受けて遠赤外輻射線を発生する構造としている。【０００３】  一方、関節部に装着する温熱治療用として考案されたものとして、伸縮性の材料で作製した円筒形のホルダと、該ホルダに保持される化学カイロとからなり、前記ホルダが前記化学カイロの出し入れ又は装着が可能な収納部を有するものがある（例えば、特許文献２参照）。【０００４】  また、視力低下及び疲れ目を改善する温熱治療用として考案されたものもある（例えば、特許文献３参照）。特許文献３で開示された目用水蒸気発生体は、被酸化性金属の酸化反応を利用した蒸気温熱発生部を有し、目及び目周囲に水蒸気を付与するものであり、この目用水蒸気発生体は、目及び目周囲に当接される面から蒸気温熱が１分〜３０分発生し、当接された皮膚表面温度を１分間〜１２０分間にわたり、３４℃〜４３℃にするようにしている。【０００５】
【特許文献１】特開平１１−２７９８１２号公報
【特許文献２】特開２００７−０１４７９２号公報
【特許文献３】特開２００７−２８９６８２号公報
【発明の開示】
【発明が解決しようとする課題】
【０００６】  しかしながら、上述した先行技術は、人体の予め定めた部位のみを温めたり、当該部位に温度刺激を与えたりするものであるが、形状の制約から温めや温度刺激を行う部位に対する自由度が小さいという問題がある。すなわち、特許文献１で開示された暖房衣服は、発熱体が腰の位置に来るように保持することで腰を中心に温めるものであり、特許文献２で開示された温熱治療具は、肘、手首、足首などの関節部分を温めるものであり、特許文献３で開示された目用水蒸気発生体は目を中心にその回りを温めるものである。このように、形状の制約から予め決めた部位以外の部位を温めることは困難である。
また、身体の部位によっては体感温度を上昇させたり、温度刺激を与えたりするのに最適な温度があるが、従来の先行技術では、温度の調整を容易に行うことができないという問題もある。【０００７】  本発明は係る事情に鑑みてなされたものであり、形状の制約を少なくできて、人体の様々な部位の体感温度を上昇させたり、温度刺激を与えたりすることができ、しかも容易に温度の調整を行うことができる健康補助器具を提供することを目的とする。
【課題を解決するための手段】
【０００８】  本発明の健康補助器具は、扁平袋状に形成され、一方の面側にメッシュ状の布体を有し、また、内部の前記メッシュ状布体側の面に複数の第１の収容部を有すると共に前記複数の第１の収容部以外の部分に１つの第２の収容部を有する袋体と、前記複数の第１の収容部のそれぞれに収容される遠赤外線発生部材と、前記第２の収容部に収容される発熱体と、前記袋体の各辺に設けられる接続部材と、両方の端で前記接続部材と接続可能な伸縮自在のベルトと、を備えた。【０００９】  上記構成によれば、遠赤外線発生部材を収容可能な複数の第１の収容部を有するので、使用する遠赤外線発生部材の使用量（即ち個数）を調整することで容易に温度調整を行うことができる。また、袋体は、複数の第１の収容部を設けた側の面にメッシュ状の布体を有するので、遠赤外線発生部材からの遠赤外線を効率良く伝えることができ、容易に人体各部位の体感温度を上昇させたり、温熱治療として温度刺激を与えたりすることができる。また、袋体の各辺にベルトを装着できるので、人間の膝や腕、首や腰などの部位に簡単に装着することができる。すなわち、体感温度を上昇させたり温度刺激を与えたりする部位に対する自由度を大きくとることができる。【００１０】  また、上記構成において、前記ベルトとして、長さの異なる複数のものを備えた。【００１１】  上記構成によれば、健康補助器具を人体の様々な部位に容易に装着することができる。【００１２】  本発明の健康補助器具は、扁平袋状に形成され、一方の面がメッシュ素材からなり、他方の面が綿素材からなる袋体と、前記袋体の内部に設けられた複数の収容部と、前記複数の収容部のそれぞれに収容される発熱体と、前記複数の収容部と前記袋体のメッシュ面との間に設けられ、可撓性を有するシート材と、前記シート材に設けられる遠赤外線発生部材と、前記複数の収容部と前記袋体の前記綿素材面との間に設けられるクッション材と、前記袋体の前記メッシュ面側と前記綿素材面側のそれぞれの各辺に設けられ、同様の構造を成す他の健康補助器具と接続するための接続部材と、を備えた。【００１３】  上記構成によれば、発熱体の個数を変えることで、全体の遠赤外線量を調整することができる。また、袋体の一方の面をメッシュ素材からなるメッシュ面としたので、シート材の遠赤外線発生部材から発生した遠赤外線を効率良く伝えることができ、容易に人体各部位の体感温度を上昇させたり、温熱治療として温度刺激を与えたりすることができる。また、袋体の各辺に接続部材を備えるので、簡単に他の健康補助器具と繋ぐことができ、体感温度を上昇させたり温度刺激を与えたりする部位に対する自由度を大きくとることができる。【００１４】  また、上記構成において、前記シート材として、様々な大きさのものを備えた。【００１５】  上記構成によれば、シート材の大きさを変えることでも遠赤外線量を調整することができる。【００１６】  本発明の健康補助器具は、三角形の扁平袋状に形成され、一方の面がメッシュ素材からなり、他方の面が綿素材からなる袋体と、前記袋体の内部に設けられた収容部と、前記収容部に収容される複数の発熱体と、前記収容部と前記袋体のメッシュ面側との間に配置され、可撓性を有する板状を成し、その中央部には開口部を有するシート材と、前記シート材の少なくとも一方の面に設けられる第１の遠赤外線発生部材と、前記シート材の前記開口部に嵌合するケースと、前記ケースに収容される第２の遠赤外線発生部材と、前記収容部と前記袋体の前記綿素材面側との間に設けられるクッション材と、前記袋体の各頂点部分に設けられる接続部材と、両方の端で前記接続部材と接続可能な伸縮自在のベルトと、を備えた。【００１７】  上記構成によれば、ケースを取り付けたり外したりすることで遠赤外線量を調整することができる。また、袋体の一方の面をメッシュ素材からなるメッシュ面としたので、シート材の第１の遠赤外線発生部材及びケース内の第２の遠赤外線発生部材から発生した遠赤外線を効率良く伝えることができ、容易に人体各部位の体感温度を上昇させたり、温熱治療として温度刺激を与えたりすることができる。また、袋体の各頂点部分にベルトを装着できるので、人間の膝や腕、首や腰などの部位に簡単に装着することができる。すなわち、体感温度を上昇させたり温度刺激を与えたりする部位に対する自由度を大きくとることができる。【００１８】  また、上記構成において、前記ベルトとして、長さの異なる複数のものを備えた。【００１９】  上記構成によれば、健康補助器具を人体の様々な部位に容易に装着することができる。【００２０】  また、上記構成において、前記シート材として、様々な大きさのものを備えた。【００２１】  上記構成によれば、シート材の大きさを変えることで、このシート材に設ける第１の遠赤外線部材の量が変わるので、遠赤外線量を調整することができる。【００２２】  また、上記構成において、前記ケースとして、前記第２の遠赤外線発生部材の量の異なる複数のものを備えた。【００２３】  上記構成によれば、第２の遠赤外線発生部材の量の異なるケースに取替えることでも遠赤外線量を調整することができる。【００２４】  本発明の健康補助器具は、長尺帯状に形成された布体と、前記布体の一方の面の略中央部分に設けられるメッシュ素材からなる収容部と、前記収容部に収容な大きさの板状に形成されると共に部分的に複数の貫通孔が形成されたフェルト板と、前記フェルト板と共に前記収容部に収容される赤外線発生部材と、前記フェルト板と共に前記収容部に収容される発熱体と、を備えた。【００２５】  上記構成によれば、遠赤外線発生部材及び／又は発熱体を収容可能なメッシュ素材からなる収容部を有するので、遠赤外線発生部材からの遠赤外線を効率良く伝えることができ、容易に人体各部位の体感温度を上昇させたり、温熱治療として温度刺激を与えたりすることができる。また、布体をスカーフとして使用可能な形状及び大きさとすることで、冬は寒さから首回りを温めることができ、また夏は冷房の効いた電車やバスなどの車両内における寒さから首回りを温めることができる。因みに、気温の関係上、冬の場合は遠赤外線発生部材と発熱体の併用が好適であり、夏の場合は遠赤外線発生部材のみの使用が好適である。また、本発明の健康補助器具は、布体を長尺帯状に形成するので、首以外にも膝、腕、腰などの部位にも簡単に装着することができる。
【発明の効果】
【００２６】  本発明によれば、形状の制約を少なくできて、人体の様々な部位の体感温度を上昇させたり、温度刺激を与えたりすることができ、しかも容易に温度の調整を行うことができる健康補助器具を提供できる。
【発明を実施するための最良の形態】
【００２７】  以下、本発明を実施するための好適な実施の形態について、図面を参照して詳細に説明する。【００２８】  （実施の形態１）
図１は、本発明の実施の形態１に係る健康補助器具の表面側を示す外観図、図２は図１の健康補助器具のＡ−Ａ線断面図、図３は図１の健康補助器具の裏面側を示す外観図である。図１〜図３において、本実施の形態の健康補助器具１は、膝、腕、首、腰などの比較的狭い範囲で温めや温度刺激を行えるものであり、四角形の扁平袋状に形成され、一方の面側にメッシュ状の布体１１を有し、また、内部の２面のうち布体１１側の面にセラミック袋５０を収容可能な収容部（第１の収容部）１２ａ〜１２ｃを有すると共に、収容部１２ａ〜１２ｃ以外の部分（第２の収容部）に発熱体６０を収容可能な袋体１０と、この袋体１０の各辺の略中央部に布片１４によって可動可能に固定された略Ｄ字形状のＤ環（接続部材）１３と、両端が各Ｄ環１３と接続可能なゴムベルト１５と、上記セラミック袋５０と、上記発熱体６０とを備えて構成される。【００２９】  袋体１０は、綿などの繊維によって作られている。Ｄ環１３は、袋体１０にゴムベルト１５（ベルト）を取り付けるためのものであり、ゴムベルト１５の先端に取り付けられたナス環１６をＤ環１３に接続することで、ゴムベルト１５が袋体１０に繋がる。なお、図示しないが、ゴムベルト１５には長さの異なるものが複数あり、袋体１０の人体に対する取り付け位置に応じて最適な長さのものを選択できるようになっている。長さの異なるゴムベルト１５を使用することで、袋体１０を縦位置でも横位置でも取り付けることができる。なお、伸縮自在であれば、ゴムベルトに限定されることはない。【００３０】  収容部１２ａ〜１２ｂは、図２の断面図に示すようにメッシュ状の布体１１の裏面側に設けられており、それぞれにセラミック袋５０が収容される。セラミック袋５０は、図４に示すようにメッシュ素材によって縦長の扁平袋状に形成されている。セラミック袋５０の開口部は開閉自在になっており、図４の（ａ）は開いた状態を示しており、図４の（ｂ）は閉じた状態を示している。セラミック袋５０の開口部は、一方の面が舌状に延びており、その先端部分には面ファスナ５１ａが設けられている。また、開口部の他方の面の先端部分には面ファスナ５１ｂが設けられている。舌状に延びた側の面を数回折り畳むことで面ファスナ５１ａと面ファスナ５１ｂが合わさり、その状態で面ファスナ５１ａと面ファスナ５１ｂを指で挟んで圧力を加えることで、面ファスナ５１ａと面ファスナ５１ｂを接合させることができる。【００３１】  セラミック袋５０内には全重量で２０グラム程の多数のセラミックボール５２（図５参照）が収容されている。セラミックボール５２は、二酸化チタンと放射性同位元素であるトリウム及びカリウム（４０）を含む鉱物を用いた焼結体であり、遠赤外線及び低レベルの放射線を発生する。上述したように袋体１０は３つの収容部１２ａ〜１２ｂを有しているので、セラミック袋５０を最大３個まで収容することができる。なお、セラミックボール５２は遠赤外線発生部材に対応する。【００３２】  収容部１２ａ〜１２ｂを除く袋体１０の内部には、発熱体６０（図２又は図５参照）が収容される。発熱体６０は、鉄粉等を含有した発熱材を通気性のある扁平状の袋体内に封入されたものであり、所謂使い捨てカイロと呼���れるものである。発熱体６０は約４０℃の熱を発生する。セラミック袋５０に収容したセラミックボール５２は常温でも遠赤外線を発生するが、発熱体６０からの熱が加わることで更に大量の遠赤外線を発生する。このときセラミック袋５０の個数を変えることで全体の遠赤外線量の調整が可能である。すなわち、セラミック袋５０を３個使用することで最大の遠赤外線量が得られ、１個使用することで最小の遠赤外線量が得られる。セラミック袋５０内の各セラミックボール５２から発生した遠赤外線は、メッシュ状の布体１１を通って外へ放出される。本実施の形態の健康補助器具１は、布体１１側を面にして人体に取り付けるので、メッシュ状にした布体１１によって、セラミック袋５０内の各セラミックボール５２から発生した遠赤外線が効率良く人体に伝わる。なお、布体１１には耐熱性の優れたポリエステルが好適である。【００３３】  図５及び図６は、袋体１０にセラミック袋５０と発熱体６０を挿入している様子を示す斜視図である。セラミック袋５０は収容部１２ａ〜１２ｂに挿入され、発熱体６０は収容部１２ａ〜１２ｂの下方の空間に挿入される。図７は、健康補助器具１を人体の膝に取り付けた状態を示す図である。人体の膝への取り付けには短めのゴムベルト１５が好適である。一方、図８は健康補助器具１を人体の肩に取り付けた状態を示す図である。人体の肩への取り付けには短めのゴムベルト１５と長めのゴムベルト１５を２本使用するとよい。なお、人体の肘への取り付けには膝への取り付けと同様に短めのゴムベルト１５を使用する。また、人体の首への取り付けには長めのゴムベルト１５を２本使用するとよい。【００３４】  以上のように本実施の形態の健康補助器具１によれば、袋体１０に最大３個のセラミック袋５０を収容可能な収容部１２ａ〜１２ｃを有するので、使用するセラミック袋５０の個数を調整することで容易に温度調整を行うことができる。また、袋体１０は、収容部１２ａ〜１２ｃを設けた側の面にメッシュ状の布体１１を有するので、収容部１２ａ〜１２ｃに挿入したセラミック袋５０からの遠赤外線を効率良く伝えることができ、容易に人体各部位の体感温度を上昇させたり、温熱治療として温度刺激を与えたりすることができる。また、袋体１０の各辺の略中央部に布片１４によって可動可能に固定したＤ環１３と、両端が各Ｄ環１３と接続可能なゴムベルト１５とを備えるので、人間の膝や腕、首や腰などの部位に簡単に装着することができる。すなわち、体感温度を上昇させたり温度刺激を与えたりする部位に対する自由度を大きくとることができる。【００３５】  なお、本実施の形態の健康補助器具１では、セラミック袋５０を収容するための３つの収容部１２ａ〜１２ｂを設けたが、この数に限定はなく３つ未満でも４つ以上であっても良い。
また、本実施の形態の健康補助器具１では、袋体１０の形状を長方形としたが、この形状に限定されるものではなく、例えば正方形でも円形でも三角形であってもよい。【００３６】  （実施の形態２）
図９は、本発明の実施の形態２に係る健康補助器具の表面側を示す外観図、図１０は図９の健康補助器具のＢ−Ｂ線断面図、図１１は図９の健康補助器具の裏面側を示す外観図である。図９〜図１１において、本実施の形態の健康補助器具２０は、座ったり、敷いたりする比較的広範囲で温めや温度刺激を行うようにしたものであり、上述した実施の形態１の健康補助器具１より大型になっている。本実施の形態の健康補助器具２０は、四角形の扁平袋状に形成され、一方の面（以下、メッシュ面と呼ぶ）２１ａがポリエステル等の耐熱性に優れたメッシュ素材からなり、他方の面（以下、綿素材面と呼ぶ）２１ｂが綿素材からなる袋体２１と、袋体２１の開口部２１ｃを開閉するファスナ２２と、袋体２１のメッシュ面２１ａ側と綿素材面２１ｂ側のそれぞれの上辺（開口部２１ｃと反対側の辺）及び左右両辺のそれぞれに設けられた面ファスナ２３と、袋体２１の内部に設けられる発熱体収容部２４と、発熱体収容部２４と袋体２１のメッシュ面２１ａとの間に設けられるシート材２５と、発熱体収容部２４と袋体２１の綿素材面２１ｂとの間に設けられるクッション材２６と、発熱体６０と、を備える。【００３７】  袋体２１の開口部２１ｃを開閉するファスナ２２を動かすことで開口部２１ｃを開閉できる。袋体２１の各辺に設けられた面ファスナ２３は、他の同様の健康補助器具２０と縦横に接続するためのものである。発熱体収容部２４は、２つの発熱体６０を収容可能な２つの収容部２４ａ，２４ｂを有する。収容部２４ａ，２４ｂは所定距離隔てて平行に配置されている。シート材２５は、その一方の面（以下、鉱物塗布面と呼ぶ）に二酸化チタンと放射性同位元素であるトリウム及びカリウム（４０）を含む鉱物を粉状にしたものを塗布したものである。当該鉱物の塗布においては、例えば当該鉱物を接着剤等の溶剤に混合させて行う。なお、図１２にシート材２５の鉱物塗布面２５ａを示す。シート材２５は、鉱物塗布面２５ａを袋体２１のメッシュ面２１ａ側に向けて袋体２１内に配置される。本実施の形態では、様々な大きさのシート材２５を有し、必要に応じて様々な大きさのものを使用できるようにしている。なお、鉱物塗布面２５ａの鉱物は遠赤外線発生部材に対応する。【００３８】  シート材２５の鉱物塗布面２５ａからは常温でも遠赤外線が発生するが、発熱体６０から発生した熱が加わることで更に大量の遠赤外線を発生する。このとき、大きさの異なるシート材２５を選択したり、発熱体６０の個数を変えたりすることで全体の遠赤外線量を調整することができる。すなわち、袋体２１内に入れることができる最大面積のシート材２５を使用し且つ発熱体６０を２個使用することで最大の遠赤外線量が得られ、最小面積のシート材２５を使用し且つ発熱体６０を１個使用することで最小の遠赤外線量が得られる。シート材２５の鉱物塗布面２５ａから発生した遠赤外線は袋体２１のメッシュ面２１ａを通って外へ放出される。健康補助器具２０を使用するときはメッシュ面２１ａを上にするので、シート材２５の鉱物塗布面２５ａから発生した遠赤外線が効率良く人体に伝わる。【００３９】  図１２は、袋体２１に発熱体収容部２４とシート材２５とクッション材２６を挿入した状態を示す斜視図である。この場合、発熱体収容部２４の収容部２４ａ，２４ｂのそれぞれに発熱体６０が収容されている。袋体２１の綿素材面２１ｂからメッシュ面２１ａの方向に、クッション材２６、発熱体収容部２４、シート材２５の順で配置される。図１３は、健康補助器具２０を２つ繋いで自動車のシートに置いた状態を示す図である。また、図１４は、健康補助器具２０を３つ繋いで敷いた状態を示す図である。健康補助器具２０には上述した面ファスナ２３があるので、簡単に他の健康補助器具２０と繋ぐことができる。【００４０】  以上のように本実施の形態の健康補助器具２０によれば、様々な大きさのシート材２５を有すると共に、２個の発熱体６０を収容可能な発熱体収容部２４を有するので、大きさの異なるシート材２５を選択したり、発熱体６０の個数を変えたりすることで、全体の遠赤外線量を調整することができる。また、袋体２１は、一方の面をメッシュ素材からなるメッシュ面２１ａとしたので、シート材２５の鉱物塗布面２５ａから発生した遠赤外線を効率良く伝えることができ、容易に人体各部位の体感温度を上昇させたり、温熱治療として温度刺激を与えたりすることができる。また、袋体２１の上辺及び左右のそれぞれの辺に面ファスナ２３を備えるので、簡単に他の健康補助器具２０と繋ぐことができ、体感温度を上昇させたり温度刺激を与えたりする部位に対する自由度を大きくとることができる。【００４１】  なお、本実施の形態の健康補助器具２０では、発熱体収容部２４に２つの発熱体６０を収容可能としたが、この数に限定はなく１つでも３つ以上であっても良い。
また、本実施の形態の健康補助器具２０では、袋体２１の形状を正方形としたが、この形状に限定されるものではなく、例えば長方形でも円形でも三角形であってもよい。
また、本実施の形態の健康補助器具２０では、シート材２５の一方の面にのみ鉱物を塗布したが、両面に塗布しても良い。【００４２】  （実施の形態３）
図１５は、本発明の実施の形態３に係る健康補助器具の表面側を示す外観図、図１６は図１５の健康補助器具のＣ−Ｃ線断面図、図１７は図１５の健康補助器具の裏面側を示す外観図である。図１５〜図１７において、本実施の形態の健康補助器具３０は、上述した実施の形態１の健康補助器具１の仕組みと実施の形態２の健康補助器具２０の仕組みを併せ持った所謂ハイブリッドタイプのものであり、首、肩、腹部などの部位に装着可能な三角形状の扁平袋状に形成されている。本実施の形態の健康補助器具３０は、一方の面（以下、メッシュ面と呼ぶ）３１ａがポリエステル等の耐熱性に優れたメッシュ素材からなり、他方の面（以下、綿素材面と呼ぶ）３１ｂが綿素材からなる袋体３１と、袋体３１の開口部３１ｃを開閉するファスナ３２と、袋体３１の開口部３１ｃの辺に対向する頂点部分と残りの２つの頂点部分の僅か下方の部分のそれぞれに布片３４によって可動可能に固定された略Ｄ字に形成されたＤ環（接続部材）３３と、両端が各Ｄ環３３と接続可能なゴムベルト（ベルト）３５と、袋体３１の内部に設けられる発熱体収容部（収容部）３６と、袋体３１と同様の三角形状に形成され、その中央部分に長方形状の開口部３７ａを有し、発熱体収容部３６と袋体３１のメッシュ面３１ａ側との間に設けられるシート材３７と、シート材３７の開口部３７ａに嵌合可能な形状に形成されたケース３８と、発熱体収容部３６と袋体３１の綿素材面３１ｂ側との間に設けられるクッション材３９とを備える。【００４３】  袋体３１の開口部３１ｃを開閉するファスナ３２を動かすことで開口部３１ｃを開閉できる。Ｄ環３３は、袋体３１にゴムベルト３５を取り付けるためのものであり、ゴムベルト３５の先端に取り付けられたナス環４０をＤ環３３に接続することで、ゴムベルト３５が袋体３１に繋がる。なお、図示しないが、ゴムベルト３５には長さの異なるものが複数あり、袋体３１の人体に対する取り付け位置に応じて最適な長さのものを選択できるようになっている。長さの異なるゴムベルト３５を適宜使用することで、袋体３１を縦位置でも横位置でも取り付けることができる。発熱体収容部３６は、１つの発熱体６０を収容する。発熱体６０は、上述したように鉄粉等を含有した発熱材を通気性のある扁平状の袋体内に封入されたものであり、所謂使い捨てカイロと呼ばれるものである。発熱体収容部３６は、面ファスナ等でクション材３９と着脱自在になっている。【００４４】  シート材３７は、上述した実施の形態２の健康補助器具２０のシート材２５と同様に、一方の面（以下、鉱物塗布面と呼ぶ）に、二酸化チタンと放射性同位元素であるトリウム及びカリウム（４０）を含む鉱物を粉状にしたもの（第１の遠赤外線発生部材）を塗布したものである。当該鉱物の塗布においては、例えば当該鉱物を接着剤等の溶剤に混合させて行う。シート材３７は、鉱物塗布面を袋体３１のメッシュ面３１ａ側に向けて袋体３１内に配置される。本実施の形態では、様々な大きさのシート材３７を有し、必要に応じて様々な大きさのものを使用できるようにしている。なお、前記鉱物塗布面の鉱物は第１の遠赤外線発生部材に対応する。【００４５】  ケース３８は、袋体３１のメッシュ面３１ａの曲面に沿うように僅かに湾曲した中空の板状に形成されており、内部には全重量で２０グラム程の多数のセラミックボール（第２の遠赤外線発生部材）４１が収容されている。ケース３８の上端部分には鍔部３８ａが形成されており、この鍔部３８ａによってケース３８本体がシート材３７の開口部３７ａから抜けないようになっている。セラミックボール４１は、上述した実施の形態１の健康補助器具１のセラミック袋５０に収容したセラミックボール５２と同様のものであり、遠赤外線及び低レベルの放射線を発生する。ケース３８には、セラミックボール４１の収容数の異なる複数のものがあり、任意に交換できるようになっている。なお、セラミックボール４１は第２の遠赤外線発生部材に対応する。【００４６】  シート材３７の鉱物塗布面及びケース３８内のセラミックボール４１からは常温でも遠赤外線が発生するが、発熱体６０で発生した熱が加わることで更に大量の遠赤外線を発生する。このとき、大きさの異なるシート材３７を選択したり、セラミックボール４１の収容数の異なるケース３８に交換したりすることで、全体の遠赤外線量を調整することができる。すなわち、袋体３１内に入れることができる最大面積のシート材３７を使用し且つセラミックボール４１の収容数の最も多いケース３８を使用することで最大の遠赤外線量が得られ、最小面積のシート材３７を使用し且つセラミックボール４１の収容数の最も少ないケース３８を使用することで最小の遠赤外線量が得られる。シート材３７の鉱物塗布面及びケース３８の各セラミックボール４１から発生した遠赤外線は袋体３１のメッシュ面３１ａを通って外へ放出される。使用者はメッシュ面３１ａを上にして座ったり、敷いたり、あるいは肩、首、膝、肘に取り付けたりするので、シート材３７の鉱物塗布面及びケース３８の各セラミックボール４１から発生した遠赤外線が効率良く人体に伝わる。【００４７】  以上のように本実施の形態の健康補助器具３０によれば、様々な大きさのシート材３７を有すると共に、セラミックボール４１の収容数の異なる複数のケース３８を有するので、大きさの異なるシート材３７を選択したり、セラミックボール４１の収容数の異なる複数のケース３８を選択したりすることで全体の遠赤外線量を調整することができる。また、袋体３１は、一方の面をメッシュ素材からなるメッシュ面３１ａとしたので、シート材３７の鉱物塗布面及びケース３８の各セラミックボール４１から発生した遠赤外線を効率良く伝えることができ、容易に人体各部位の体感温度を上昇させたり、温熱治療として温度刺激を与えたりすることができる。また、袋体３１の開口部３１ｃの辺に対向する頂点部分と残りの２つの頂点部分の僅か下方の部分のそれぞれに布片３４によって可動可能に固定されたＤ環３３と、両端が各Ｄ環３３と接続可能なゴムベルト３５とを備えるので、人間の膝や腕、首や腰などの部位に容易に装着することができる。すなわち、体感温度を上昇させたり温度刺激を与えたりする部位に対する自由度を大きくとることができる。【００４８】  なお、本実施の形態の健康補助器具３０では、発熱体６０を１つだけ収容するものであったが、この数に限定はなく１つでも３つ以上であっても良い。
また、本実施の形態の健康補助器具３０では、シート材３７の一方の面にのみ鉱物を塗布したが、両面に塗布しても良い。
また、本実施の形態の健康補助器具３０では、発熱体収容部３６が１つの発熱体６０を収容するものであったが、２つ以上収容するものであっても良い。【００４９】  （実施の形態４）
図１８は、本発明の実施の形態４に係る健康補助器具の裏面側を示す外観図、図１９は図１８の健康補助器具の部分拡大図である。図１８及び図１９において、本実施の形態の健康補助器具７０は、主にスカーフとして肩回りの部位に装着可能な長尺帯状に形成され、両端部分が刀の先部分のように反った形状を成す布体７１と、布体７１の一方の面の中央部分に設けられるポリエステル等の耐熱性に優れたメッシュ素材からなる収容部７２と、収容部７２に収容な大きさで板状に形成されると共に離散的に複数の貫通孔７３ａが形成されたフェルト板７３と、フェルト板７３と共に収容部７２に収容されるセラミック袋７４と、フェルト板７３と共に収容部７２に収容される発熱体７５と、を備えて構成される。【００５０】  セラミック袋７４は、メッシュ素材によって縦長の扁平袋状に形成されている。セラミック袋７４の内部には全重量で２０グラム程の多数のセラミックボール（遠赤外線発生部材、図示略）が収容されている。セラミック袋７４は、面ファスナ（図示略）でフェルト板７３に着脱自在となっている。セラミック袋７４、フェルト板７３及び発熱体７５は、布体７１の一面から収容部７２の面に向けて、発熱体７５、フェルト板７３、セラミック袋７４の順で収容部７２に収容される。【００５１】  以上のように本実施の形態の健康補助器具７０によれば、遠赤外線発生部材７４及び発熱体７５を収容可能なメッシュ素材からなる収容部７２を有するので、遠赤外線発生部材７４で発生する遠赤外線や発熱体７５で発生する熱を効率良く伝えることができ、容易に人体各部位の体感温度を上昇させたり、温熱治療として温度刺激を与えたりすることができる。また、冬は寒さから首回りを温めることができ、また夏は冷房の効いた電車やバスなどの車両内における寒さから首回りを温めることができる。図２０に首回りに装着した例を示す。因みに、気温の関係上、冬の場合は遠赤外線発生部材７４と発熱体７５の併用が好適であり、夏の場合は遠赤外線発生部材７４のみの使用が好適である。なお、本発明の健康補助器具７０は、布体７１を長尺帯状に形成したので、首以外にも膝、腕、腰などの部位にも簡単に装着することができる。
【産業上の利用可能性】
【００５２】  本発明は、形状の制約を少なくできて人体の様々な部位の体感温度を上昇させたり温度刺激を与えたりすることができ、しかも容易に温度の調整を行うことができるといった効果を有し、健康機器分野に用いて好適である。
【図面の簡単な説明】
【００５３】
【図１】本発明の実施の形態１に係る健康補助器具の表面側を示す外観図
【図２】図１の健康補助器具のＡ−Ａ線断面図
【図３】図１の健康補助器具の裏面側を示す外観図
【図４】図１の健康補助器具のセラミック袋を示す図
【図５】図１の健康補助器具の使用例を示す斜視図
【図６】図１の健康補助器具の使用例を示す斜視図
【図７】図１の健康補助器具の人体への装着例を示す図
【図８】図１の健康補助器具の人体への装着例を示す図
【図９】本発明の実施の形態２に係る健康補助器具の表面側を示す外観図
【図１０】図９の健康補助器具のＢ−Ｂ線断面図
【図１１】図９の健康補助器具の裏面側を示す外観図
【図１２】図９の健康補助器具の内部構造を示す斜視図
【図１３】図９の健康補助器具の使用例を示す斜視図
【図１４】図９の健康補助器具の使用例を示す斜視図
【図１５】本発明の実施の形態３に係る健康補助器具の表面側を示す外観図
【図１６】図１５の健康補助器具のＣ−Ｃ線断面図
【図１７】図１５の健康補助器具の裏面側を示す外観図
【図１８】本発明の実施の形態４に係る健康補助器具の裏面側を示す外観図
【図１９】図１８の健康補助器具の部分拡大図
【図２０】図１８の健康補助器具の人体への装着例を示す図
【符号の説明】
【００５４】１、２０、３０、７０  健康補助器具
１０、２１、３１  袋体
１１、７１  布体
１２ａ、１２ｂ、１２ｃ、７２  収容部
１３、３３  Ｄ環
１４、３４  布片
１５、３５  ゴムベルト
１６、４０  ナス環
２１、３１  袋体
２１ａ、３１ａ  メッシュ面
２１ｂ、３１ｂ  綿素材面
２１ｃ、３１ｃ、３７ａ  開口部
２２、３２  ファスナ
２３、５１ａ、５１ｂ  面ファスナ
２４、３６  発熱体収容部
２４ａ、２４ｂ  収容部
２５、３７  シート材
２５ａ  鉱物塗布面
２６、３９  クッション材
３８  ケース
３８ａ  鍔部
４１、５２  セラミックボール
５０  セラミック袋
６０、７５  発熱体
７３  フェルト板
【図１】
2010057872.tif 000003
【図２】
2010057872.tif 000004
【図３】
2010057872.tif 000005
【図４】
2010057872.tif 000006
【図５】
2010057872.tif 000007
【図６】
2010057872.tif 000008
【図７】
2010057872.tif 000009
【図８】
2010057872.tif 000010
【図９】
2010057872.tif 000011
【図１０】
2010057872.tif 000012
【図１１】
2010057872.tif 000013
【図１２】
2010057872.tif 000014
【図１３】
2010057872.tif 000015
【図１４】
2010057872.tif 000016
【図１５】
2010057872.tif 000017
【図１６】
2010057872.tif 000018
【図１７】
2010057872.tif 000019
【図１８】
2010057872.tif 000020
【図１９】
2010057872.tif 000021
【図２０】
2010057872.tif 000022